(57)【要約】【要約書】【課題】ドアの開閉に際し、利用者やその近くにいる者が手や指などを挟み込んでしまう事故を防止する。【解決手段】利用者の指などが挟み込まれることを防止するための保護部材（フラップ１３，３３，５３）を、剛性を有して、開閉全体部（開閉全体部１１，３１，５１）の縦方向の側縁部分を兼用する別部材の形で回動可能なものとし、閉操作にともなって指などが前記保護部材の側縁にあたったときには、当該保護部材が当該指などから逃げる方向に回動するようにドアに取り付けた。前記保護部材を回動前の原位置へと自動復帰するための手段（捻りバネ１５ｃ，３５ｄ，３５ｅ，５５）を設けてもよい。また、前記保護部材を、前記開閉全体部の表裏それぞれの方向に対して回動可能としてもよい。【選択図】図３
2006118295.tif 000002
【特許請求の範囲】
【請求項１】
指などの挟み込みを防止するための保護部材を取り付けたドア，扉などの開閉具において、
前記保護部材は、剛性を有し、かつ、開閉全体部の縦方向の側縁部分を兼用する別部材として、回動可能な態様で設けられており、
閉操作にともなって指などが前記保護部材の側縁にあたったときには、当該保護部材が当該指などから逃げる方向に回動する、
ことを特徴とする保護機能付きのドア，扉などの開閉具。
【請求項２】
前記保護部材をその回動位置から回動前の原位置へと自動復帰させるための復帰手段を設けた、
ことを特徴とする請求項１記載の保護機能付きのドア，扉などの開閉具。
【請求項３】
前記保護部材の回動可能な態様は、前記開閉全体部の表裏それぞれの方向に対して回動可能な形に設定されているものである、
ことを特徴とする請求項１または２記載の保護機能付きのドア，扉などの開閉具。
【発明の詳細な説明】
【技術分野】
【０００１】
本発明は、保護機能付きのドア，扉などの開閉具に関し、特に利用者やその近くにいる者が手や指などを挟み込んでしまうのを防止するための保護部材を取り付けたドア，扉など（以下、必要に応じて単に「ドア」という。）の開閉具に関する。
【０００２】
本発明が対象とする開閉具は、室内外の出入口，窓，クロゼット，戸棚，本棚などに取り付けられ、また間仕切りなどとして用いられる各種の戸（ドア・扉）であり、例えば開き戸，片開き戸，両開き戸，観音開き戸，親子開き戸，自在戸，回転戸，引違い戸，引き戸，引分け戸，引込み戸などが当該開閉具に該当する。
【０００３】
一般に、幼い子供は、ドアの回りで遊ぶことが多く危険に対する認識も低いので、誤って手や指をドアに挟んでしまうことが多い。また、お年寄りなどの場合にも同様なことが生じやすい。
【０００４】
特に幼い子供たちの遊び場ともいえる幼稚園、保育園や、お年寄りや後見対象者たちの生活の場ともいえる各種福祉施設などにおいてはドア回りのいわば事故がおきやすく、その安全対策は非常に重要な問題となっている。本発明は、このようなドア回りの事故防止といった要請に応えるものである。
【背景技術】
【０００５】
従来、ドア端面などにカバー体を設けて、使用者などの手，指がドア端面とドア枠の間などに挟みこまれることがないようにした、保護機能付きのドアが提案されている。
【０００６】
例えば、ガラスドアの側面（ドア枠との対向部分）に軟性の透明合成樹脂性の保護縁をスライド可能に形成したもの（特許文献１参照）や、折り畳み扉の扉体の側端部に軟質部材を固定したもの（特許文献２参照）などがある。
【特許文献１】実用新案登録第３０１２３８５号公報
【特許文献２】特開平８−６８２６９号公報
【発明の開示】
【発明が解決しようとする課題】
【０００７】
このように、従来の保護機能付きのドアは、軟性，軟質の保護部材を設けて利用者などがそこに指などを挟みこみそうになった場合、あくまで柔軟な当該保護部材自体のみの変形作用やスライド作用によりその指などを保護しようとしている。
【０００８】
そのため、保護部材自体がドア設置後の時間経過とともに損傷しやすく、保護部材に挟まれた指などをそこから離脱させても当該保護部材が初期形状に復帰しにくくなる、などの問題点があった。
【０００９】
また、スライド動作する保護部材は（それが軟性，軟質でなくとも）回動タイプのドアに向いていない、すなわちドアが回動して閉まるときの指などのあたり（挟みこみ）に対して当該保護部材が移動（スライド）しにくいという問題点があった。
【００１０】
そこで、本発明では、利用者の指などが挟み込まれることを防止するための保護部材を剛性のものとして、その保護作用の継続的な安定化を図ることを目的とする。
【００１１】
また、この保護部材をドアに回動可能な形で取り付けて、回転軸を持つタイプの回動式ドア（例えば開き戸，片開き戸，両開き戸，観音開き戸，親子開き戸，自在戸，回転戸）は勿論のこと、レール上をすべるタイプのスライド式ドア（例えば引違い戸，引き戸，引分け戸，引込み戸）に対しても当該保護部材の有効化を図る（図５，図６参照）ことを目的とする。
【課題を解決するための手段】
【００１２】
本発明は、以上の課題を次のようにして解決する。
（１）指などの挟み込みを防止するための保護部材（例えば後述のフラップ１３，３３，５３）を取り付けたドア，扉などの開閉具（例えば後述の片開き戸１０，自在戸３０，引き戸５０）において、前記保護部材を、剛性を有して、開閉全体部（例えば後述の開閉全体部１１，３１，５１）の縦方向の側縁部分を兼用する別部材の形で回動可能なものとし、閉操作にともなって指などが前記保護部材の側縁にあたったときには、当該保護部材が当該指などから逃げる方向に回動するように設定する。
（２）上記（１）において、前記保護部材をその回動位置から回動前の原位置へと自動復帰させるための復帰手段（例えば後述の捻りバネ１５ｃ，３５ｄ，３５ｅ，５５）を設ける。
（３）上記（１），（２）において、前記保護部材を、前記開閉全体部の表裏それぞれの方向に対して回動可能な形に設定する。
【発明の効果】
【００１３】
本発明は、このように、ドア，扉などの開閉具の、指などの挟み込みを防止するための保護部材を剛性で回動可能な態様のものに設定しているので、上述のような保護部材自体の経年的変形やスライド式ドアへの不適応性といったことがなく、当該保護部材の永続的，確実な作用を期待することができる。
【００１４】
また、開閉全体部の縦方向の側縁部分も兼ねた保護部材がその回動状態から回動前の原状態へと自動復帰する、例えば子供の指があたって回動位置にある保護部材から子供自身または周りの者がその指を抜いた場合などには、保護部材が開閉全体部の本来の位置に戻るようにしているので、ドア，扉などの開閉具としての本来の機能を維持することができる。
【００１５】
また、保護部材が開閉全体部の表，裏のいずれの方向にも回動する、すなわち指などとの当接状況に応じて回動しやすい方向に移動するようにしているので、指などの挟み込み防止用の当該保護部材の利便性をより大きなものにすることができる。
【発明を実施するための最良の形態】
【００１６】
図１乃至図６を用いて本発明を実施するための最良の形態を説明する。
【００１７】
ここで、
図１は、ドア内外の一方のみに逃げる回動フラップを設けた片開き戸タイプの回動式自動復帰ドアを示し、（ａ）は取っ手を含む横断面図，（ｂ）はドアの正面図，（ｃ）はドアの右側面図であり、
図２は、図１の回動フラップなどを示し、（ａ）は図１のＡ−Ａ方向の断面図，（ｂ）は復帰用バネなしのフラップ蝶番の斜視図，（ｂ）′は復帰用バネ付きのフラップ蝶番の斜視図であり、
図３は、図１の回動フラップの動作例を示し、（ａ）はドアを開けている状態を示す説明図，（ｂ）はドアが閉まって回動フラップが指にあたってそれから逃げる方向に移動した状態を示す説明図であり、
図４は、ドア内外の双方に逃げる回動フラップを設けた自在戸タイプの回動式自動復帰ドア（スイングドア）を示し、（ａ）は図１のＡ−Ａ方向に対応する断面図，（ｂ）は復帰用バネなしのフラップ蝶番（＝屏風蝶番）の斜視図，（ｂ）′は復帰用バネ付きのフラップ蝶番（＝自由蝶番）の斜視図であり、
図５は、ドア本体に沿って図示左方向のみに逃げる回動フラップを設けた引き戸タイプのスライド式ドアを示し、（ａ）はフラップの復帰用バネを設けていない場合の図６のＢ−Ｂ方向の断面図、（ａ）′はフラップの復帰用バネを設けた場合の同断面図であり、
図６は、図５（ａ）′のドア本体，取っ手および回動フラップなどの斜視状態を示している。
【００１８】
なお、以下の説明におけるアルファベット付き参照番号の構成要素（例えばドア本体側基部１４ａ）は、アルファベットなし参照番号の構成要素（例えば蝶番１４）の一部であることを示している。
【００１９】
図１〜図３において、
１０は片開き戸（回動式ドア），
１１は開閉全体部（＝ドア本体１２＋フラップ１３）
１２は開閉全体部１１の構成要素であるドア本体，１２ａは当該ドア本体の縦方向側縁部分の欠落範囲，１２ｂは当該ドア本体の内外両面に設けた取っ手，
１３は同じく開閉全体部１１の構成要素であって指などの挟み込みを防止するためのフラップ，
１４はフラップ１３をドア本体１２に取り付けるための蝶番（復帰用バネなし），１４ａはドア本体１２にネジなどで固定されるドア本体側基部，１４ｂはフラップ１３にネジなどで固定されるフラップ側基部，１４ｃは当該ドア本体側基部および当該フラップ側基部それぞれの筒状部にその全体を貫通する形で入れられて当該両基部を一体化するための心棒部材，
１５はフラップ１３をドア本体１２に取り付けるための蝶番（復帰用バネ付き），１５ａはドア本体１２にネジなどで固定されるドア本体側基部，１５ｂはフラップ１３にネジなどで固定されるフラップ側基部，１５ｃは一方の端部が当該ドア本体側基部の裏面凹部に位置決めされて他方の端部が当該フラップ側基部の表面凹部に位置決めされたコイル状の捻りバネ（＝フラップ復帰用バネ），１５ｄは当該ドア本体側基部および当該フラップ側基部それぞれの筒状部ならびに当該捻りバネの中空部にその全体を貫通する形で入れられてこれらを一体化するための心棒部材，
２０は片開き戸１０が周知の蝶番を用いて取り付けられる壁，２０ａは片開き戸１０の閉状態の位置を規定する枠部，
Ｃは片開き戸１０の開き方向，
Ｄは片開き戸１０の閉じ方向，
Ｅはフラップ１３の逃げ方向，
Ｆはフラップ１３の復帰方向，
をそれぞれ示している。
【００２０】
ここで、フラップ１３は、ドア本体１２の欠落範囲１２ａの側面に蝶番１４，１５を介して固定され、通常は蝶番１４，１５のドア本体側基部１４ａ，１５ａとフラップ側基部１４ｂ，１５ｂとが略平行した安定状態になっている。
【００２１】
すなわち、フラップ１３の正面・背面の向きが、図１，図２(ａ)の実線，図３（ａ）で示すようにドア本体１２のそれと一致した状態になっている。
【００２２】
そして片開き戸１０がＣ方向に開いてからＤ方向に閉まるとき（図３参照）に利用者の指，手などがフラップ１３にあたると、このフラップは上からみて反時計方向のＥ方向に回動して逃げる。蝶番１５で固定されたフラップ１３の場合には、その捻りバネ１５ｃの付勢力に抗しながらＥ方向に逃げる。
【００２３】
フラップ１３のこの逃げ作用により、利用者の指，手などが片開き戸１０の縦方向側面部分と壁２０の対応側面部分との間に挟み込まれることを防止できる。
【００２４】
この利用者は、図３（ｂ）に示すように逃げ状態のフラップ１３にいわば軽くあたっている指をそこから抜くことにより、ドア部分を無事通過していく。
【００２５】
指を抜くと、蝶番１５で固定されたフラップ１３の場合にはその捻りバネ１５ｃの付勢力によって逃げ状態からＦ方向に自動復帰する。
【００２６】
一方、蝶番１４で固定されたフラップ１３は自動復帰しないので、当該フラップをＦ方向に押すなどして元の状態に復帰させる。この復帰操作用の摘みなどをフラップ１３に設けるようにしてもよい。
【００２７】
なお、フラップ１３を、Ｆ方向に逃げるように、またＥ方向およびＦ方向のいずれにも選択的に逃げる（図４参照）ことができるような態様で設定してもよい。
【００２８】
図４において、
３０は自在戸（回動式のスイングドア），
３１は開閉全体部（＝ドア本体３２＋フラップ３３）
３２は開閉全体部３１の構成要素であるドア本体，３２ａは当該ドア本体の縦方向側縁部分の欠落範囲，３２ｂは当該ドア本体の内外両面に設けた取っ手，
３３は同じく開閉全体部３１の構成要素であって指などの挟み込みを防止するためのフラップ〔図４（ａ）は後述の屏風蝶番３４を用いた場合のフラップ〕，
３４はフラップ３３をドア本体３２に取り付けるためのいわゆる屏風蝶番（復帰用バネなし），３４ａはドア本体３２にネジなどで固定されるドア本体側基部（固定部），３４ｂはフラップ３３にネジなどで固定されるフラップ側基部（回動部），３４ｃは当該ドア本体側基部と当該フラップ側基部との間の上側に配される上中間部（回動部），３４ｄは当該ドア本体側基部と当該フラップ側基部との間の下側に配される下中間部（回動部），３４ｅは当該ドア本体側基部および当該上中間部を連結する第１の上側心棒部材（＝ドア本体３２との固定軸），３４ｆは当該上中間部および当該フラップ側基部を連結する第２の上側心棒部材，３４ｇは当該ドア本体側基部および当該下中間部を連結する第１の下側心棒部材（＝ドア本体３２との固定軸），３４ｈは当該下中間部および当該フラップ側基部を連結する第２の下側心棒部材，
３５はフラップ３３をドア本体３２に取り付けるためのいわゆる自由蝶番（復帰用バネ付き），３５ａはドア本体３２にネジなどで固定されるドア本体側基部，３５ｂはフラップ３３にネジなどで固定されるフラップ側基部，３５ｃは当該ドア本体側基部と当該フラップ側基部との間に配される中間部，３５ｄは一方の端部が当該ドア本体側基部の裏面凹部に位置決めされて他方の端部が当該中間部の表面凹部に位置決めされたコイル状の第１の捻りバネ（＝フラップ復帰用バネ），３５ｅは一方の端部が当該中間部の裏面凹部に位置決めされて他方の端部が当該フラップ側基部の表面凹部に位置決めされたコイル状の第２の捻りバネ（＝フラップ復帰用バネ），３５ｆは当該ドア本体側基部，当該中間部および当該第１の捻りバネを連結するドア本体側心棒部材，３５ｇは当該中間部，当該フラップ側基部および当該第２の捻りバネを連結するフラップ側心棒部材，
４０は自在戸３０がいわゆる自由蝶番を用いて取り付けられる壁，
Ｇ，Ｈは自在戸３０の開き方向，
Ｉ，Ｊはフラップ３３の逃げ方向，
をそれぞれ示している。
【００２９】
図４のドア構造の、図１〜図３のそれとの基本的な相違点は、
(1)ドアとして内外両方向に開くスイングドア３０を用い、
(2)指などの挟み込みを防止するためのフラップ３３を内外両方向に逃げることができるようにドア本体３２に取り付けた、
などの点である。
【００３０】
フラップ３３の、内外いずれかの方向に逃げるときの回動状況やその後の復帰動作、またドア本体３２との関係などは、図１〜図３のフラップ１３のそれと同様である。
【００３１】
ただ、フラップ３３の内外両方向への回動を可能にするための屏風蝶番３４，自由蝶番３５の機構は図１〜図３で用いた蝶番１４，１５とは異なっている。もっとも屏風蝶番３４および自由蝶番３５のそれ自体はともに周知の機構のものである。
【００３２】
屏風蝶番３４および自由蝶番３５は、いずれもフラップ３３が逃げてない状態では「ドア本体側基部３４ａ，フラップ側基部３４ｂ，上中間部３４ｃ，下中間部３４ｄ」や「ドア本体側基部３５ａ，フラップ側基部３５ｂ，中間部３５ｃ」のそれぞれがドア本体３２の側面（＝当該蝶番の取付面）と平行な、いわば閉状態になっている。
【００３３】
屏風蝶番３４は、そのドア本体側基部３４ａがドア本体３２に固定されており、
(3)Ｉ方向に逃げるときには、図示（ｂ）のように、
・ドア本体側基部３４ａおよび上中間部３４ｃは閉状態のままで、すなわち第２の上側心棒部材３４ｆと第１の下側心棒部材３４ｇとが略一直線上に位置したままで、
・フラップ側基部３４ｂおよび下中間部３４ｄが一体となって、この略一直線上の心棒部材を軸にして回動し、
(4)Ｊ方向に逃げるときには、
・ドア本体側基部３４ａおよび下中間部３４ｄは閉状態のままで、すなわち第１の上側心棒部材３４ｅと第２の下側心棒部材３４ｈとが略一直線上に位置したままで、
・フラップ側基部３４ｂおよび上中間部３４ｄが一体となって、この略一直線上の心棒部材を軸にして回動する。
【００３４】
自由蝶番３５は、そのドア本体側基部３５ａがドア本体３２に固定されており、
(5)Ｉ方向に逃げるときには、
・ドア本体側基部３５ａおよび中間部３５ｃは閉状態のままで、
・フラップ側基部３５ｂが、第２の捻りバネ３５ｅの付勢力に抗しながらフラップ側心棒部材３５ｇを軸にして回動し、
(6)Ｊ方向に逃げるときには、
・フラップ側基部３５ｂおよび中間部３５ｃが一体となって、第１の捻りバネ３５ｄの付勢力に抗しながらドア本体側心棒部材３５ｆを軸にして回動する。
【００３５】
自由蝶番３５は、捻りバネ３５ｄ，３５ｅの作用よって、その逃げ位置から回動前の元の位置へ自動復帰する。屏風蝶番３４はこのような自動復帰機能を有していない。
【００３６】
図５および図６において、
５０は引き戸（スライド式ドア），
５１は開閉全体部（＝ドア本体５２＋フラップ５３）
５２は開閉全体部５１の構成要素であるドア本体，５２ａは当該ドア本体の縦方向側縁部分の欠落範囲，５２ｂは当該欠落範囲のスロープ状側面部分，５２ｃは当該ドア本体の内外両面に設けた取っ手（把持部），５２ｄは当該把持部を保持するため上下に形成した一対の腕部，５２ｅは当該腕部それぞれの表面に形成したフラップ回動用の軸部，５２ｆは当該軸部の外周面に形成した縦方向溝状部，５２ｇは当該腕部それぞれの表面に形成したフラップ位置決め・ガイド用のピン，
５３は同じく開閉全体部５１の構成要素であって指などの挟み込みを防止するためのフラップ，５３ａはドア本体５２のスロープ状側面部分５２ｂに対応した曲面部分，
５４はフラップ５３をドア本体側の一対の腕部５２ｄに取り付けるための連結具，５４ａは軸部５２ｅや後述の捻りバネ５５を受けるための凹状部，５４ｂはピン５２ｇの受け部であってフラップ５３の回動範囲を規制するための曲線状溝部，
５５は一方の端部が腕部５２ｄ（軸部５２ｅ）それぞれの縦方向溝状部５２ｆに入りこみ他方の端部が連結具５４の内側面に当接する形で設けられたコイル状の捻りバネ（＝フラップ復帰用バネ），
６０は引き戸５０の周りの壁，
Ｋは引き戸５０の開き方向，
Ｌは引き戸５０の閉じ方向，
Ｍはフラップ５３の逃げ方向，
Ｎはフラップ５３の復帰方向，
をそれぞれ示している。
【００３７】
図５および図６のドア構造は引き戸タイプのスライド式ドアを対象としており、引き戸５０をＫ方向に開いてからＬ方向に閉めるときに利用者の指，手などがフラップ５３にあたると、当該フラップおよび連結具５４はＭ方向に回動して逃げる。
【００３８】
このとき、フラップ５３は、その曲面部分５３ａがドア本体５２のスロープ状側面部分５２ｂに沿いながら、かつ、あたることなしに回動する。
【００３９】
なお、図５（ａ）′の捻りバネ５５を備えたフラップ５３の場合には、当該バネの付勢力に抗しながら回動して逃げる。
【００４０】
フラップ５３のこの逃げ作用により、利用者の指，手などが引き戸５０の縦方向側面部分と壁６０の対応側面部分との間に挟み込まれることを防止できる。
【００４１】
指，手を挟みこまれそうになった利用者などが、逃げ状態のフラップ５３にいわば軽くあたっているその指などをそこから抜くと、図５（ａ）′のフラップ５３の場合には捻りバネ５５の付勢力によって逃げ状態からＮ方向に自動復帰する。
【００４２】
一方、捻りバネ５５を備えていない図５（ａ）のフラップ５３は自動復帰しないので、当該フラップをＮ方向に押すなどして元の状態に復帰させる。この復帰操作用の摘みなどをフラップ５３に設けるようにしてもよい。
【００４３】
なお、上述したように本発明の保護部材（フラップ１３，３３，５３）は各種形式のドアに適用できる。この保護部材（フラップ）やドア本体は例えば木製やアルミ製のものである。
【００４４】
また、保護部材自体（フラップ１３，３３，５３）は剛性のものとしているが、その表面部分、特に利用者の指，手などが当たりやすい部分に軟性カバーや布などを設けて、この指，手などの保護をより十全なものにしてもよいことは勿論である。
【図面の簡単な説明】
【００４５】
【図１】本発明の、ドア内外の一方のみに逃げる回動フラップを設けた片開き戸タイプの回動式自動復帰ドアを示す説明図であり、（ａ）は取っ手を含む横断面図，（ｂ）はドアの正面図，（ｃ）はドアの右側面図をそれぞれ示している。
【図２】本発明の、図１の回動フラップなどを示す説明図であり、（ａ）は図１のＡ−Ａ方向の断面図，（ｂ）は復帰用バネなしのフラップ蝶番の斜視図，（ｂ）′は復帰用バネ付きのフラップ蝶番の斜視図をそれぞれ示している。
【図３】本発明の、図１の回動フラップの動作例を示す説明図であり、（ａ）はドアを開けている状態，（ｂ）はドアが閉まって回動フラップが指にあたってそれから逃げる方向に移動した状態をそれぞれ示している。
【図４】本発明の、ドア内外の双方に逃げる回動フラップを設けた自在戸タイプの回動式自動復帰ドア（スイングドア）を示す説明図であり、（ａ）は図１（ｂ）のＡ−Ａ方向に対応する断面図，（ｂ）は復帰用バネなしのフラップ蝶番（＝屏風蝶番）の斜視図，（ｂ）′は復帰用バネ付きのフラップ蝶番の斜視図をそれぞれ示している。
【図５】本発明の、ドア本体に沿って図示左方向のみに逃げる回動フラップを設けた引き戸タイプのスライド式ドアを示す説明図であり、（ａ）はフラップの復帰用バネを設けていない場合の図６のＢ−Ｂ方向の断面図、（ａ）′はフラップの復帰用バネを設けた場合の同断面図をそれぞれ示している。
【図６】本発明の、図５（ａ）′のドア本体，取っ手およびフラップなどの斜視状態を示す説明図である。
【符号の説明】
【００４６】
１０：片開き戸（回動式ドア）
１１：開閉全体部（＝ドア本体１２＋フラップ１３）
１２：ドア本体
１２ａ：ドア本体の縦方向側縁部分の欠落範囲
１２ｂ：取っ手
１３：フラップ(保護部材)
１４：蝶番（復帰用バネなし）
１４ａ：ドア本体側基部
１４ｂ：フラップ側基部
１４ｃ：心棒部材
１５：蝶番（復帰用バネ付き）
１５ａ：ドア本体側基部
１５ｂ：フラップ側基部
１５ｃ：コイル状の捻りバネ（＝フラップ復帰用バネ）
１５ｄ：心棒部材
２０：壁
２０ａ：枠部
３０：自在戸（回動式のスイングドア）
３１：開閉全体部（＝ドア本体３２＋フラップ３３）
３２：ドア本体
３２ａ：ドア本体の縦方向側縁部分の欠落範囲
３２ｂ：取っ手
３３：フラップ（保護部材）
３４：屏風蝶番（復帰用バネなし）
３４ａ：ドア本体側基部（固定部）
３４ｂ：フラップ側基部（回動部）
３４ｃ：上中間部（回動部）
３４ｄ：下中間部（回動部）
３４ｅ：第１の上側心棒部材（＝ドア本体３２との固定軸）
３４ｆ：第２の上側心棒部材
３４ｇ：第１の下側心棒部材（＝ドア本体３２との固定軸）
３４ｈ：第２の下側心棒部材
３５：自由蝶番（復帰用バネ付き）
３５ａ：ドア本体側基部
３５ｂ：フラップ側基部
３５ｃ：中間部
３５ｄ：コイル状の第１の捻りバネ（＝フラップ復帰用バネ）
３５ｅ：コイル状の第２の捻りバネ（＝フラップ復帰用バネ）
３５ｆ：ドア本体側心棒部材
３５ｇ：フラップ側心棒部材
４０：壁
５０：引き戸（スライド式ドア）
５１：開閉全体部（＝ドア本体５２＋フラップ５３）
５２：ドア本体
５２ａ：ドア本体の縦方向側縁部分の欠落範囲
５２ｂ：欠落範囲のスロープ状側面部分
５２ｃ：取っ手（把持部）
５２ｄ：一対の腕部
５２ｅ：フラップ回動用の軸部
５２ｆ：縦方向溝状部
５２ｇ：フラップ位置決め・ガイド用のピン
５３：フラップ（保護部材）
５３ａ：スロープ状側面部分５２ｂに対応した曲面部分
５４：連結具
５４ａ：凹状部
５４ｂ：曲線状溝部
５５：コイル状の捻りバネ（＝フラップ復帰用バネ）
６０：壁
Ｃ：片開き戸１０の開き方向
Ｄ：片開き戸１０の閉じ方向
Ｅ：フラップ１３の逃げ方向
Ｆ：フラップ１３の復帰方向
Ｇ，Ｈ：自在戸３０の開き方向
Ｉ，Ｊ：フラップ３３の逃げ方向
Ｋ：引き戸５０の開き方向
Ｌ：引き戸５０の閉じ方向
Ｍ：フラップ５３の逃げ方向
Ｎ：フラップ５３の復帰方向
【図１】
2006118295.tif 000003
【図２】
2006118295.tif 000004
【図３】
2006118295.tif 000005
【図４】
2006118295.tif 000006
【図５】
2006118295.tif 000007
【図６】
2006118295.tif 000008